(57)【要約】【課題】電気機器のフロントパネル底に設けられて該電気機器を支える為の脚部構造であって、簡単な構造で安く造ることが出来、振動並びにガタツキを防止し、しかも正面からの外観は別付けの円筒型インシュレータと同じような形態を成すことが出来る脚部構造の提供。【解決手段】フロントパネル１の底２にスリット溝６，６を介して脚３を撓み変形可能に形成し、この脚３にゴム等の緩衝材４を取着し、底２の正面側には脚３及び緩衝材４を被覆するカバー５を形成している。【選択図】        図２
2004327795.tif 000002
【特許請求の範囲】
【請求項１】
電気機器のフロントパネル底に設けられ、該電気機器を支える為の脚部構造において、フロントパネルの底にスリット溝を介して脚を撓み変形可能に形成し、この脚にゴム等の緩衝材を取着し、そして底の正面側には脚及び緩衝材を被覆するカバーを形成すると共にカバーの突出長さは緩衝材より小さくしたことを特徴とする電気機器の脚部構造。
【請求項２】
電気機器のフロントパネル底に設けられ、該電気機器を支える為の脚部構造において、フロントパネルの底にスリット溝を介して脚を撓み変形可能に形成し、そして底の正面側には該底から下方へ突出する脚を被覆するカバーを形成すると共にカバーの突出長さは脚より小さくしたことを特徴とする電気機器の脚部構造。
【請求項３】
上記脚は片持ち支持形態を構成した請求項１、又は請求項２記載の電気機器の脚部構造。
【請求項４】
上記脚は両端支持形態を構成した請求項１、請求項２記載の電気機器の脚部構造。
【請求項５】
片持ち支持形態の脚が対を成して形成され、両脚に跨って緩衝材を取付けた請求項１、請求項２記載の電気機器の脚部構造。
【請求項６】
上記脚に嵌合部を設けると共に該嵌合部に緩衝材を取付けた請求項１、請求項３、請求項４、又は請求項５記載の電気機器の脚部構造。
【発明の詳細な説明】
【０００１】
【発明の属する技術分野】
本発明は電気機器の滑りを防止し、又ガタツキを無くして、所定位置に安定して設置すると共に、機器の外部及び内部の振動を吸収する為の脚部構造に関するものである。
【０００２】
【従来の技術】
図１はディスク装置の外観を示している。該ディスク装置は正面となるフロントパネル３１の中央にはディスクをセットして出し入れするトレー３２を有し、該トレー３２にセットしたディスクは装置内に搬入されてターンテーブルに装着される。そして、該ディスクの再生・録画が行なわれることになるが、ディスク面と光ピックアップ間は極わずかな隙間を隔てた状態で該ディスクはターンテーブル上で回転することが出来る。
【０００３】
従って、ディスクや光ピックアップが振動すれば光ピックアップとディスクは接触してしまう為に、該振動を防止すると共にディスクや光ピックアップが振動の影響を受けにくい構造と成っている。すなわち、ディスクを装着するターンテーブルや記録を読み込むピックアップはトラバースユニットとして１箇所にまとめて構成され、該トラバースユニットはディスク装置本体にインシュレータを介して取付けられている。
【０００４】
しかも、該ディスク装置本体の外部からの振動及び内部で発生する振動を抑制する為の振動抑制手段として、ディスク装置の底には脚部となるインシュレータ３３，３３を別に備えている。該インシュレータ３３は円盤状リング体の内部に弾性体を収容したものであり、該弾性体が振動や衝撃を効率よく吸収して、機器本体への影響を抑制している。
【０００５】
従来のインシュレータ３３はコストが高く、又購入部品である為に電気機器の底に取付ける作業も必要となり、トータル的に電気機器の製作コストが高くなってしまう。実開平４−９００９７号に係る「軽電機器の底足」は、機器と設置台との間を伝達する振動エネルギーを遮断するものであり、弾性体から成って開口部を有すと共に有底凹部が形成されている底足本体、有底凹部に挿入されて底足本体の底部に点接触する先端部及びリング状の溝が形成された支柱が開口部の周縁部と溝を介して係合して組み合わされ、支柱は機器の底面に固定されている。
【０００６】
この軽電機器の底足は、振動エネルギーを吸収することは出来るが、弾性体が表面化して外観を損なってしまう。特開昭６１−１９９２９２号に係る「レコードプレーヤ」も従来技術であり、第１防振装置を取着したキャビネット上に第２防振装置を介してターンテーブル、モーター、トーンアーム等を取着して構成しており、第１防振装置が表面に露出することで、外観が損なわれる。
【０００７】
【発明が解決しようとする課題】
このように、従来の脚部構造には上記のごとき問題がある。本発明が解決しようとする課題はこの問題点であり、至って簡単な構造で安く造ることが出来、振動並びにガタツキを防止し、しかも正面からの外観は別付けの円筒型インシュレータと同じような形態を成すことが出来る電気機器の脚部構造を提供する。
【０００８】
【課題を解決する為の手段】
本発明に係る電気機器の脚部構造はキャビネットのフロントパネル底に脚を設け、該脚には緩衝材を取付けている。ここで緩衝材の材質は特に限定しないが、一般にはゴムやフェルト等が使用され、床面及びテーブル面などからの振動や衝撃は該緩衝材により吸収される。そして、脚はフロントパネル底と分離する為にスリット溝が形成され、その為に撓み易くなり、脚自体も振動や衝撃を吸収緩和する機能を備えている。
【０００９】
そして、該脚及び脚に取着した緩衝材が正面に露出しないようにカバーを形成している。従って、正面からの外観は前記図１に示している脚部と同じように見える。ここで、脚が撓みやすいように、又振動を吸収しやすいように設けられるスリット溝の形態、及び脚とスリット溝の位置関係は限定しないことにする。一方、本発明では上記緩衝材を脚に取付けない脚部構造とする場合もある。以下、本発明に係る実施例を図面に基づいて詳細に説明する。
【００１０】
【実施例】
図２は本発明に係る電気機器の脚部構造を示している実施例であり、背面と底面を表わしている。該脚部構造は電気機器のキャビネットの正面に取付けられるフロントパネル１の底２に形成され、同図の３は脚、４は緩衝材、５はカバーを表わしている。該緩衝材４は別部品として取付けられるが、その他の部分はフロントパネルと一体的に成形される。
【００１１】
上記脚３は底２とスリット溝６，６にて分離され、該スリット溝６，６は脚３の両側に設けられることで片持ち支持形態と成って撓み易くなる。そして、底２には円弧状に湾曲したカバー５が下方へ突出し、上記脚３及び緩衝材４を被覆して正面から見えないように成っている。ただし、緩衝材４はカバー５より下方へ突出した状態にあって、カバー５は載置面に接することはない。図３は脚部の斜視図を表わしている。
【００１２】
図４は脚部の縦断面を示しており、脚３は底２からスリット溝６，６にて分離されている為に、比較的重い電気機器は該脚３，３・・にて支えられる場合、脚３，３・・は撓み変形する。勿論、脚先端に取着されている緩衝材４は圧縮変形して支えられ、床面が振動しても該振動は脚３及び緩衝材４にて吸収されて、フロントパネル本体及びキャビネットに収容されている電気機器へ伝えることを防止している。図２に示す脚部構造では緩衝材を脚先端に取付けているが、該緩衝材を使用しないことも出来る。
【００１３】
図５は脚部構造を示す他の実施例である。基本的な構造は前記図２、図３に示す場合と同じであるが、該実施例の脚３は背面側へ長く延びている。このように長く延びる脚であっても、フロントパネル１と一体成形することが出来、該脚３の両側に形成したスリット溝６，６にて底２から分離している。このように、脚３を長くすることも可能である。
【００１４】
図６は脚部構造を示す他の実施例である。この脚部構造に設けている脚７はフロントパネル底縁８と平行にスリット溝９を形成し、脚７の中央には嵌合部１０を有し、該嵌合部１０に緩衝材４が嵌って取付けられている。スリット溝９が形成されることで作られる脚７は、両端支持梁形態として撓み変形し、載置する床面の振動や衝撃を脚７の撓み変形、及び緩衝材４の圧縮変形にて吸収することが出来る。
【００１５】
図７はさらに本発明の脚部構造を示す実施例である。この実施例に示す脚部構造は、前期図６の場合と共通して両端支持形態であるが、脚１１の巾寸法を細くして撓み易くしている。すなわち、スリット溝１２の巾を大きくすることで脚巾を小さくし、その為に該脚１１は撓み易くなる。その他の構造は図６の場合と同じである。
【００１６】
図８はカバー５の奥側に脚１３ａ，１３ｂを対にして形成している場合であり、脚１３ａ，１３ｂの先端には嵌合部１０ａ，１０ｂを設けると共に、該嵌合部１０ａ，１０ｂには緩衝材４ａ，４ｂを嵌めている。脚１３ａ，１３ｂは片持ち支持形態であって細くなり、緩衝材４ａ，４ｂに作用する荷重に対して大きく撓み変形することが出来る。しかも、２個の緩衝材４ａ，４ｂを備えることで、電気機器は安定する。
【００１７】
図９に示す実施例は、前記図３及び図５に示している脚部構造の場合と脚１４の向きが違っているだけで、該脚１４は底２とスリット溝１５ａ，１５ｂにて分離されて片持ち支持形態として撓み変形する。そして、脚先端に設けた嵌合部１０には緩衝材４が嵌って取付けられている。この場合の脚巾も細い為に、該脚１４は大きく撓み変形することが出来る。
【００１８】
図１０に示す脚部構造は、脚を反対側から対を成して延ばし、両脚１６ａ，１６ｂの中間部位に緩衝材４を取着している。この脚１６ａ，１６ｂには嵌合部を有しておらず、上記緩衝材４が接着剤を介して直接固着されている。ここで、緩衝材４はゴム等の弾性体である為に両脚１６ａ，１６ｂの中間部に跨って固着されても緩衝材４が引っ張られて脚１６ａ，１６ｂは撓み変形することが出来る。
【００１９】
図１１に示す脚部構造は両脚１７ａ，１７ｂが対を成して反対側から延び、両脚１７ａ，１７ｂの先端には両脚１７ａ，１７ｂと一体成形した嵌合部１０を有している。すなわち、両脚１７ａ，１７ｂに共通の嵌合部１０を備え、この嵌合部１０には緩衝材４が嵌って取付けられている。嵌合部１０の緩衝材４に作用する荷重によって細い脚は撓み変形することが出来る。
【００２０】
図１２に示す脚部構造は前記図１１に示す嵌合部１０を分割して嵌合部１０ａ，１０ｂとした構造である。すなわち、嵌合部１０ａ，１０ｂの中間にスリット溝１８を設けて分離し、該嵌合部１０ａ，１０ｂに嵌めた緩衝材４に荷重が作用する場合、脚１７ａ，１７ｂは撓みやすくなる。すなわち、各脚１７ａ，１７ｂは夫々が独立して撓むことが出来る。
【００２１】
以上述べたように、本発明の脚部構造は、スリット溝を介してフロントパネル底から分離して脚を設け、この脚に緩衝材を取付け、しかも正面にはカバーを形成したものであり、次のような効果を得ることが出来る。
【００２２】
【発明の効果】
本発明に係る脚部構造は、スリット溝を介して脚を形成し、この脚にゴム等の緩衝材を取付けている為に、該緩衝材に作用する荷重によって脚は撓み変形することが出来る。従って、該脚を電気機器の底に設けるならば、電気機器を載置した床面、テーブル面が振動したり、衝撃を受けても上記脚の撓み変形及び該脚に取着した緩衝材の変形によって吸収され、電気機器本体への影響を抑制することが出来る。又、緩衝材としてゴム質を使用するならば、載置面との摩擦も高くて横滑も防止できる。一方、外部からの振動や衝撃に限らず、機器内部の動作（例えばトレイの引き出し、収納動作等）に基づく振動も吸収できる。
【００２３】
そして、該脚及び緩衝材は正面側に設けているカバーによって被覆され、正面からの見栄えは良好である。機能的には従来のインシュレータに劣らない効果があり、しかしコストは非常に安く製作出来る。一方、フロントパネル底に一体成形し、これに緩衝材を取付けただけの簡単な構造であり、製作コストが安いのみならず、従来のインシュレータを取付ける場合に比較して重量が軽く薄型化が可能になる。本発明は緩衝材を取付けることで振動及び衝撃を吸収する効果は良好であるが、簡易的に脚だけの構造とする場合も可能である。
【図面の簡単な説明】
【図１】ディスク装置の外観図。
【図２】本発明に係る脚部構造の背面図と底面図。
【図３】本発明の脚構造の斜視図。
【図４】本発明の脚部構造の縦断面図。
【図５】本発明に係る脚部構造の他の実施例。
【図６】本発明に係る脚部構造の他の実施例。
【図７】本発明に係る脚部構造の他の実施例。
【図８】本発明に係る脚部構造の他の実施例。
【図９】本発明に係る脚部構造の他の実施例。
【図１０】本発明に係る脚部構造の他の実施例。
【図１１】本発明に係る脚部構造の他の実施例。
【図１２】本発明に係る脚部構造の他の実施例。
【符号の説明】
１  フロントパネル
２  底
３  脚
４  緩衝材
５  カバー
６  スリット溝
７  脚
８  縁
９  スリット溝
１０  嵌合部
１１  脚
１２  スリット溝
１３  脚
１４  脚
１５  スリット溝
１６  脚
１７  脚
１８  スリット溝
【図１】
2004327795.tif 000003
【図２】
2004327795.tif 000004
【図３】
2004327795.tif 000005
【図４】
2004327795.tif 000006
【図５】
2004327795.tif 000007
【図６】
2004327795.tif 000008
【図７】
2004327795.tif 000009
【図８】
2004327795.tif 000010
【図９】
2004327795.tif 000011
【図１０】
2004327795.tif 000012
【図１１】
2004327795.tif 000013
【図１２】
2004327795.tif 000014